(57)【要約】【課題】  ネットワークカメラを利用してデバイスの識別情報とデバイスの位置情報を対応づける管理者による初期登録負担を軽減する。【解決手段】    ネットワークカメラが撮影する空間に設置される複数のデバイスの画像を取得する管理装置と通信する情報処理装置において、管理装置から取得する初期登録画面を表示し、該初期登録画面に表示されたそれぞれのデバイスの位置情報と、それぞれのデバイスの識別情報とを対応づける指示を受け付ける。そして、受け付けた指示により対応づけられたそれぞれのデバイスの位置情報とそれぞれのデバイスの識別情報とを特定する初期登録情報を管理装置に応答し、管理装置が管理するデバイスの位置情報とデバイスの識別情報とを対応づけて登録する構成を特徴とする。【選択図】  図５
2017062680.tif 000002
【特許請求の範囲】
【請求項１】
複数のデバイスを特定する識別情報を管理する第１の管理装置と、ネットワークカメラが撮影する空間に設置される複数のデバイスの画像を取得する第２の管理装置と、前記第２の管理装置と通信する情報処理装置とを含むデバイス情報登録システムであって、
前記第２の管理装置は、
前記情報処理装置から前記デバイスに対する初期登録の要求を受けて、前記ネットワークカメラが撮影するそれぞれのデバイスの画像を取得する第１の取得手段と、
取得したそれぞれのデバイスの画像を解析して生成されるそれぞれのデバイスの位置情報一覧を管理する管理手段と、
前記第１の管理装置から前記デバイスを識別する識別情報を取得してデバイス情報一覧を生成する第１の生成手段と、
管理される位置情報一覧と、生成したデバイス情報一覧と、前記ネットワークカメラから取得した複数のデバイスの画像とを含む初期登録画面を生成する第２の生成手段と、
生成された前記初期登録画面を前記情報処理装置に応答する第１の応答手段と、
前記情報処理装置から応答される初期登録情報を取得して、管理するそれぞれのデバイスの位置情報に取得したそれぞれのデバイスの識別情報を対応付けて登録する登録手段と、
を備え、
前記情報処理装置は、
前記第２の管理装置から取得する初期登録画面を表示する表示手段と、
前記初期登録画面に表示されたそれぞれのデバイスの位置情報と、それぞれのデバイスの識別情報とを対応づける指示を受け付ける受付手段と、
受け付けた指示により対応づけられたそれぞれのデバイスの位置情報とそれぞれのデバイスの識別情報とを特定する初期登録情報を前記第２の管理装置に応答する第２の応答手段と、
を備えることを特徴とするデバイス情報登録システム。
【請求項２】
前記管理手段は、取得したそれぞれのデバイスの画像を解析して生成されるそれぞれのデバイスの位置情報と、ネットワークカメラの識別情報と、特定されたデバイスの識別情報とを対応づけて管理することを特徴とする請求項１に記載のデバイス情報登録システム。
【請求項３】
前記第２の生成手段は、管理される位置情報一覧と、生成したデバイス情報一覧と、前記ネットワークカメラから取得した複数のデバイスの画像にそれぞれのデバイスの位置情報が付加された初期登録画面を生成することを特徴とする請求項１に記載のデバイス情報登録システム。
【請求項４】
前記情報処理装置は、
前記初期登録画面を表示した際に、ユーザから前記デバイス情報一覧に表示されるそれぞれのデバイスに付与されたランプ点灯指示を受け付けた場合、当該受け付けたデバイスの特定のランプを表示させる指示を前記第２の管理装置に応答する第２の応答手段を備え、
前記第２の管理装置は、
前記情報処理装置から指示に従いデバイスの特定のランプを点灯させるランプ点灯指示を行う指示手段を備え、
前記第２の応答手段は、前記ネットワークカメラが撮影するデバイスの画像で、前記点灯指示によりデバイスの画像が変化しているデバイスを特定した初期登録画面を情報処理装置に応答することを特徴とする請求項１に記載のデバイス情報登録システム。
【請求項５】
前記第２の生成手段は、管理される位置情報一覧と、生成したデバイス情報一覧と、前記ネットワークカメラから取得した複数のデバイスの画像と、それぞれのデバイスを特定するヒント情報とを含む初期登録画面を生成することを特徴とする請求項１に記載のデバイス情報登録システム。
【請求項６】
前記特定のランプは、それぞれのデバイスが備える警告ランプである、ことを特徴とする請求項１に記載のデバイス情報登録システム。
【請求項７】
ネットワークカメラが撮影する空間に設置される複数のデバイスの画像を取得する管理装置であって、
情報処理装置から前記デバイスに対する初期登録の要求を受けて、前記ネットワークカメラが撮影するそれぞれのデバイスの画像を取得する取得手段と、
取得したそれぞれのデバイスの画像を解析して生成されるそれぞれのデバイスの位置情報一覧を管理する管理手段と、
他の管理装置から前記デバイスを識別する識別情報を取得してデバイス情報一覧を生成する第１の生成手段と、
管理される位置情報一覧と、生成したデバイス情報一覧と、前記ネットワークカメラから取得した複数のデバイスの画像とを含む初期登録画面を生成する第２の生成手段と、
生成された前記初期登録画面を前記情報処理装置に応答する応答手段と、
前記情報処理装置から応答される初期登録情報を取得して、管理するそれぞれのデバイスの位置情報に取得したそれぞれのデバイスの識別情報を対応付けて登録する登録手段と、
を備えることを特徴とする管理装置。
【請求項８】
ネットワークカメラが撮影する空間に設置される複数のデバイスの画像を取得する管理装置と通信する情報処理装置であって、
前記管理装置から取得する初期登録画面を表示する表示手段と、
前記初期登録画面に表示されたそれぞれのデバイスの位置情報と、それぞれのデバイスの識別情報とを対応づける指示を受け付ける受付手段と、
受け付けた指示により対応づけられたそれぞれのデバイスの位置情報とそれぞれのデバイスの識別情報とを特定する初期登録情報を前記管理装置に応答する応答手段と、
を備えることを特徴とする情報処理装置。
【請求項９】
ネットワークカメラが撮影する空間に設置される複数のデバイスの画像を取得する管理装置の制御方法であって、
情報処理装置から前記デバイスに対する初期登録の要求を受けて、前記ネットワークカメラが撮影するそれぞれのデバイスの画像を取得する取得工程と、
取得したそれぞれのデバイスの画像を解析して生成されるそれぞれのデバイスの位置情報を登録手段に登録して管理する管理工程と、
他の管理装置から前記デバイスを識別する識別情報を取得してデバイス情報一覧を生成する第１の生成工程と、
管理される位置情報一覧と、生成したデバイス情報一覧と、前記ネットワークカメラから取得した複数のデバイスの画像とを含む初期登録画面を生成する第２の生成工程と、
生成された前記初期登録画面を前記情報処理装置に応答する応答工程と、
前記情報処理装置から応答される初期登録情報を取得して、管理するそれぞれのデバイスの位置情報に取得したそれぞれのデバイスの識別情報を対応付けて登録手段に登録する登録工程と、
を備えることを特徴とする管理装置の制御方法。
【請求項１０】
ネットワークカメラが撮影する空間に設置される複数のデバイスの画像を取得する管理装置と通信する情報処理装置の制御方法であって、
前記管理装置から取得する初期登録画面を表示手段に表示する表示工程と、
前記初期登録画面に表示されたそれぞれのデバイスの位置情報と、それぞれのデバイスの識別情報とを対応づける指示を受け付ける受付工程と、
受け付けた指示により対応づけられたそれぞれのデバイスの位置情報とそれぞれのデバイスの識別情報とを特定する初期登録情報を前記管理装置に応答する応答工程と、
を備えることを特徴とする情報処理装置の制御方法。
【請求項１１】
請求項９に記載の管理装置の制御方法をコンピュータに実行させることを特徴とするプログラム。
【請求項１２】
請求項１０に記載の情報処理装置の制御方法をコンピュータに実行させることを特徴とするプログラム。
【発明の詳細な説明】
【技術分野】
【０００１】
本発明は、デバイス情報登録システム、管理装置、情報処理装置、管理装置の制御方法、情報処理装置の制御方法及びプログラムに関するものである。
【背景技術】
【０００２】
近年、プリンタ、コピー、スキャナなどの機能を併せ持つ画像形成装置において、ユーザごとの操作画面を表示したり、ユーザごとに機能の使用制限を行ったりする技術が知られている。
【０００３】
このような画像形成装置では、ログイン処理を伴うため、ユーザ認証処理が行われる。ユーザ認証処理は、画像形成装置の操作パネルでユーザＩＤ、パスワードを入力するパスワード認証方式がある。また、カード認証のためのデバイスを画像形成装置に取り付け、ユーザがカードをかざすことでログインするカード認証方式がある。
ここで、パスワード認証方式はユーザにとって煩わしい操作を行う必要があり、カード認証方式では、カードの貸与により成りすましたユーザがログインできてしまうという課題がある。
【０００４】
これらの課題を解決するための技術として、画像形装置でのユーザ認証として、顔認証を用いる技術が知られている。顔認証を行うためには画像形成装置にユーザの顔画像を取得するための撮像装置を備えさせる必要があり、既存の画像形成装置では顔認証することができない。
【０００５】
また、新規に製造する画像形成装置に関しても、製造コストが上昇し、ユーザが容易に顔認証機能を有した画像形成装置を入手することが難しくなる。そのため、オフィスに設置されたネットワークカメラを利用して、新たに画像形成装置に撮像装置を備えさせることなく、複数の画像形成装置への顔認証を実現する手段が求められている
【先行技術文献】
【特許文献】
【０００６】
【特許文献１】特開２００１―０６７５９９号公報
【発明の概要】
【発明が解決しようとする課題】
【０００７】
複数の画像形成装置への顔認証を行うためには、撮像内の画像形成装置の位置情報とIPアドレスとの関連付け管理装置に登録する必要がある。この関連付けを行うことによって、特定の位置の画像形成装置にユーザが接近した際に、接近対象のデバイスのIPアドレスに対して接近したユーザの自動ログイン命令を送信することができる。
【０００８】
しかしながら、本登録作業は管理者の手間がかかり、さらに間違いも発生しやすい。そのため、撮像内の画像形成装置の位置情報とIPアドレスとの紐付けを容易に登録する手段が求められている。
【０００９】
特許文献１に記載の技術は、撮像された物体（車両）の位置（機械式駐車場内での駐車位置）とそのメタ情報（入庫時間・ナンバー・形など）を自動的に紐付け、保存する技術である。
しかしながら、特許文献１に記載の技術では撮像された物体とＩＰアドレスのような目に見えない情報とを紐付けることができない。
【００１０】
本発明は、上記の課題を解決するためになされたもので、本発明の目的は、ネットワークカメラを利用してデバイスの識別情報とデバイスの位置情報を対応づける管理者による初期登録負担を軽減できる仕組みを提供することである。
【課題を解決するための手段】
【００１１】
上記目的を達成する本発明の管理装置は以下に示す構成を備える。
複数のデバイスを特定する識別情報を管理する第１の管理装置と、ネットワークカメラが撮影する空間に設置される複数のデバイスの画像を取得する第２の管理装置と、前記第２の管理装置と通信する情報処理装置とを含むデバイス情報登録システムであって、前記第２の管理装置は、前記情報処理装置から前記デバイスに対する初期登録の要求を受けて、前記ネットワークカメラが撮影するそれぞれのデバイスの画像を取得する第１の取得手段と、取得したそれぞれのデバイスの画像を解析して生成されるそれぞれのデバイスの位置情報一覧を管理する管理手段と、前記第１の管理装置から前記デバイスを識別する識別情報を取得してデバイス情報一覧を生成する第１の生成手段と、管理される位置情報一覧と、生成したデバイス情報一覧と、前記ネットワークカメラから取得した複数のデバイスの画像とを含む初期登録画面を生成する第２の生成手段と、生成された前記初期登録画面を前記情報処理装置に応答する第１の応答手段と、前記情報処理装置から応答される初期登録情報を取得して、管理するそれぞれのデバイスの位置情報に取得したそれぞれのデバイスの識別情報を対応付けて登録する登録手段と、を備え、前記情報処理装置は、前記第２の管理装置から取得する初期登録画面を表示する表示手段と、前記初期登録画面に表示されたそれぞれのデバイスの位置情報と、それぞれのデバイスの識別情報とを対応づける指示を受け付ける受付手段と、受け付けた指示により対応づけられたそれぞれのデバイスの位置情報とそれぞれのデバイスの識別情報とを特定する初期登録情報を前記第２の管理装置に応答する第２の応答手段と、を備えることを特徴とする。
【発明の効果】
【００１２】
本発明によれば、ネットワークカメラを利用してデバイスの識別情報とデバイスの位置情報を対応づける管理者による初期登録負担を軽減できる。
【図面の簡単な説明】
【００１３】
【図１】デバイス情報登録システムの構成を示す図である。
【図２】システムのハードウエア構成を説明する図である。
【図３】デバイス情報登録システムのソフトウェア構成を示す図である。
【図４】情報処理装置で表示されるＵＩ画面の一例を示す図である。
【図５】位置情報初期登録画面を生成する処理を説明する図である。
【図６】自動ログイン処理を説明する図である。
【図７】情報処理装置で表示されるＵＩ画面の一例を示す図である。
【図８】情報処理装置で表示されるＵＩ画面の一例を示す図である。
【図９】カメラビューワ画面の更新処理を説明する図である。
【発明を実施するための形態】
【００１４】
次に本発明を実施するための最良の形態について図面を参照して説明する。
＜システム構成の説明＞
〔第１実施形態〕
図１は、本実施形態を示すデバイス情報登録システムの構成を示す図である。本システムは、ネットワークカメラ１３１と、第１の管理装置（デバイス管理サーバ１２１）と、第２の管理装置（位置情報管理サーバ１２２）と、情報処理装置（クライアントコンピュータ１１３）とを含み、かつ、第３の管理装置（顔認識サーバ１３０）とを含むシステム例である。なお、第１の管理サーバと、第２の管理サーバとを１つの管理サーバとして構成してもよい。あるいは、上記各サーバを組み合わせて集約させたシステムとして構成することも可能である。
【００１５】
図１において、１０１は、インターネットもしくはイントラネットなどのネットワークである。１０２はルータやスイッチなど、ネットワーク同士を接続するネットワーク機器である。１０３はネットワーク間の通信許可の制御を行うファイアウォールである。１０５はＬＡＮ（Local Area Network）である。１０５は、コンピュータ等の機器を接続する末端のネットワークであるが、有線通信のネットワークに限らず、無線LANや携帯電話通信ネットワークなどの無線通信網の場合もある。
【００１６】
１１１は画像形成装置（デバイス）である。画像形成装置１１１には、単機能プリンタであるSFP、コピー・スキャナ・プリンタの複数機能を備える複合機であるMFPなどの種別が存在する。１１３はクライアントコンピュータである。クライアントコンピュータ１１３としては、パーソナルコンピュータ、タブレットコンピュータ、スマートフォンなどの種別が存在する。１２０は認証サーバである。クライアントコンピュータ１１３は、位置情報管理サーバ１２２に対して、位置情報初期登録画面取得要求を行う。
【００１７】
１２１はデバイス管理サーバである。１２２は位置情報管理サーバである。１３１は特定の空間に設置される画像形成装置を撮影するネットワークカメラである。ネットワークカメラ１３１には、レンズや動作機構の違いにより、箱型固定・パンチルト・広角などの種別が存在する。１３０は顔認識サーバである。
【００１８】
図２は、図１に示したシステムのハードウエア構成を説明する図である。
【００１９】
以下、画像形成装置１１１、クライアントコンピュータ１１３、認証サーバ１２０、デバイス管理サーバ１２１、位置情報管理サーバ１２２、ネットワークカメラ１３１、顔認識サーバ１３０のハードウエア構成を説明する。
【００２０】
図２において、２０１はユーザインタフェースであり、ディスプレイ、キーボード、マウス、タッチパネルなどによる、情報の入出力を行う。これらのハードウェアを備えないコンピュータは、リモートデスクトップやリモートシェルなどにより、他のコンピュータから接続・操作することも可能である。
【００２１】
２０２はネットワークインタフェースであり、ＬＡＮなどのネットワークに接続して、他のコンピュータやネットワーク機器との通信を行う。２０４は組込済みプログラムおよびデータが記録されているＲＯＭである。２０５は一時メモリ領域のＲＡＭである。２０６はＨＤＤに代表されるような二次記憶装置である。２０３はＣＰＵであり、ＲＯＭ２０４、ＲＡＭ２０５、二次記憶装置２０６などから読み込んだプログラムを実行する。各部は入出力インタフェース２０７を介して接続されている。
【００２２】
図３は、本実施形態を示すデバイス情報登録システムのソフトウェア構成を示す図である。
図３において、デバイス管理サーバ１２１は、ネットワーク１０５と接続された画像形成装置１１１を管理する機能を提供する。３３１は、デバイス管理サーバ１２１に備えられたデータベースで、デバイス管理サーバ１２１の各機能に必要なデータを後述する表１に示すテーブルとして保持する。
【００２３】
３３２は、Ｗｅｂアプリケーションであり、Ｗｅｂユーザインタフェース（以降ＷｅｂＵＩ）３３３およびアプリケーションプログラミングインタフェース（以降ＡＰＩ）３３４を提供する。Ｗｅｂアプリケーション３３２は、ネットワーク１０１を経由して、他の機器からのリクエストを処理し、必要に応じてデータベース３３１のデータにアクセスして、各種機能を実行し、応答を返す。
【００２４】
顔認識サーバ１３０は、ネットワークカメラ１３１からの入力映像から顔認証を行ない、入力映像に映っているユーザを特定する機能を提供する。
３４１は、顔認識サーバ１３０に備えられたデータベースで、顔認識サーバ１３０の各機能に必要なデータを保持する。３４２は、Ｗｅｂアプリケーションであり、ＷｅｂＵＩ３４３およびＡＰＩ３４４を提供する。Ｗｅｂアプリケーション３４２は、ネットワーク１０１を経由して、他の機器からのリクエストを処理し、必要に応じてデータベース３４１のデータまたは顔認識アプリケーション３４５にアクセスして、各種機能を実行し、応答を返す。顔認識アプリケーション３４５はＷｅｂアプリケーション３４２からの要求に対して、必要に応じてデータベース３４１のデータにアクセスして、顔認識機能を実行し、応答を返す。
認証サーバ１２０は、ユーザ認証に関する機能を提供する。３５１は、認証サーバ１２０に備えられたデータベースで、認証サーバ１２０の各機能に必要なデータを保持する。
【００２５】
３５２は、Ｗｅｂアプリケーションであり、ＷｅｂＵＩ３５３およびＡＰＩ３５４を提供する。Ｗｅｂアプリケーション３５２は、ネットワークを経由して、他の機器からのリクエストを処理し、必要に応じてデータベース３５１のデータにアクセスして、各種機能を実行し、応答を返す。
【００２６】
位置情報管理サーバ１２２は、ネットワークカメラ１３１の撮像内の画像形成装置１１１の位置情報を管理する、位置情報管理機能を提供する。３６１は、位置情報管理サーバ１２２に備えられたデータベースで、位置情報管理サーバ１２２の各機能に必要なデータを保持する。３６２は、Ｗｅｂアプリケーションであり、ＷｅｂＵＩ３６３およびＡＰＩ３６４を提供する。Ｗｅｂアプリケーション３６２は、ネットワークを経由して、他の機器からのリクエストを処理し、必要に応じてデータベース３６１のデータまたは物体認識アプリケーション３６５にアクセスして、各種機能を実行し、応答を返す。物体認識アプリケーション３６５はＷｅｂアプリケーション３６２からの要求に対して、必要に応じてデータベース３６１のデータにアクセスして、デバイスを物体認識によって検出する機能を実行し、応答を返す。
【００２７】
３２１は、ネットワークカメラ１３１の撮像部であり、カメラのレンズや撮像素子などを制御して、撮像された画像を取得する。３２２は、映像処理部であり、撮像部３２１で取得した原画像に処理を施し、映像データなどに加工する。また、画像認識などの追加処理を行なって、画像あるいは映像から、追加の情報を得る。３２３は、データ送信部であり、映像データをネットワーク１０１上の他の機器に送信する。３２４は、ＷｅｂＵＩであり、ネットワークカメラ１３１のビューワー画面や、管理画面を提供する。
【００２８】
ビューワー画面では、ネットワークカメラ１３１で捉えた映像を確認しながら、ネットワークカメラ１３１の向きやズーム、フォーカスなどの操作をすることができる。
【００２９】
管理画面では、ネットワークカメラ１３１の撮像位置のプリセット登録、映像処理部３２２で施す処理の指定や、データ送信部３２３が送信する映像データの宛先登録などができる。３２５は、ＡＰＩであり、他の機器からのリクエストによって、ネットワークカメラ１３１の操作や、設定データ登録などを実施する。３２６は、設定データ管理部であり、撮像部３２１、映像処理部３２２、データ送信部３２３のための設定データを保持する。
【００３０】
３１１は、画像形成装置１１１で実行されるアプリケーションである。アプリケーション３１１は、その機能や目的に応じて、複数のアプリケーションを画像形成装置１１１内にインストール・実行することができる。例えば、コピー・スキャン・プリントなどを実行するアプリケーションやデバイス管理サーバ１２１からのリクエストを受け付けるデバイス管理アプリケーションなどが挙げられる。
【００３１】
３１２はユーザ接近問い合わせ部である。画像形成装置１１１自身は、ユーザの接近を検知することはできないが、ユーザ接近問い合わせ部３１２が顔認識サーバ１３０のＡＰＩ３４４に対して定期的に問い合わせることで、ユーザの接近を検知する。３１３は自動ログイン部である。画像形成装置１１１は、自動ログイン部３１３がユーザの接近に従って認証サーバ１２０に対してログイン要求を行い、ユーザを自動的にログインさせる。
【００３２】
３１５は、ローカルＵＩであり、画像形成装置１１１のユーザインタフェース２０１に画像形成装置１１１を利用するためのログイン画面を提供する。ユーザは、ログイン画面でユーザＩＤとパスワードを入力することで、画像形成装置１１１の各種機能を利用することができる。または、ユーザにあらかじめ配布された画像形成装置１１１を利用するためのＩＤカードを利用することも可能である。
【００３３】
【表１】
2017062680.tif 000003
表１において、Ｃ４０１は、画像形成装置１１１のデバイスシリアルＩＤを格納するカラムである。Ｃ４０２は、画像形成装置１１１のＩＰアドレスを格納するカラムである。Ｃ４０３はメーカー名を格納するカラムである。Ｃ４０４は、機種名を格納するカラムである。Ｃ４０５は、画像形成装置１１１の設置場所情報を格納するカラムである。Ｃ４０６は、画像形成装置１１１の管理部門を格納するカラムである。
【００３４】
Ｃ４０７は画像形成装置１１１の設置時期を格納するカラムである。デバイスシリアルＩＤ（Ｃ４０１）は、画像形成装置１１１の個体を識別する一意のＩＤである。画像形成装置１１１を製造する際に、個体ごとにデバイスシリアルＩＤ（デバイスＩＤ）を付与して、不揮発性の記憶領域２０４に記録しておき、後に画像形成装置１１１自体がデバイスシリアルＩＤを読み出し可能としておく。
【００３５】
画像形成装置１１１をデバイス管理サーバ１２１の管理対象として登録する際はＣ４０１〜Ｃ４０７の情報をデバイス管理テーブルＴ４００に登録する。登録は、デバイス管理サーバ１２１が各画像形成装置１１１に問い合わせるか、管理者がＷｅｂＵＩ３４３を介して提供される登録画面から手動入力する方法がある。
【００３６】
【表２】
2017062680.tif 000004
表２は、複数台のネットワークカメラ１３１を管理するためのデータベース３４１内のネットワークカメラ管理テーブルＴ４１０である。Ｃ４１１はネットワーク上のいずれかのネットワークカメラ１３１を識別する一意のIDを格納するカラムである。Ｃ４１２は、ネットワークカメラ１３１のIPアドレスを格納するためのカラムである。Ｃ４１３は、メーカー名を格納するカラムである。
【００３７】
Ｃ４１４は、機種名を格納するカラムである。Ｃ４１５は、パンチルト・広角・箱型固定などのカメラタイプを格納するカラムである。Ｃ４１６は、ネットワークカメラ１３１の個体ごとに設定されたカメラ名を格納するカラムである。Ｃ４１７は、ネットワークカメラ１３１の個体ごとの設置場所情報を格納するカラムである。Ｃ４１８はネットワークカメラ４１８で撮像された画像をバイナリデータとして格納するカラムである。
【００３８】
【表３】
2017062680.tif 000005
表３は、ネットワークカメラ１３１で撮像される画像形成装置１１１の位置情報一覧を管理するための位置情報管理サーバ１２２のデータベース３６１内の撮像内デバイス管理テーブルＴ４２０である。撮像内の画像形成装置１１１は、物体認識によって認識して自動的に登録される。Ｃ４２１は撮像内デバイス管理テーブルＴ４２０内で撮像デバイスの位置情報を一意に識別するＩＤを格納するカラムである。Ｃ４２２はネットワークカメラ１３１を一意に識別するカメラＩＤを格納するカラムである。Ｃ４２３は画像形成装置１１１を一意に識別するＩＤである、デバイスシリアルＩＤを格納するカラムである。ここで、画像形成装置１１１のデバイスシリアルＩＤは、撮像内の情報だけでは登録することができないため、管理者が手動で登録する必要がある。
【００３９】
この登録を行うことで、ネットワークカメラ１３１内に映った画像形成装置１１１の位置情報と、デバイス管理サーバ１２１で管理される各画像形成装置１１１のIPアドレスＣ４０２を紐付けることができる。この登録作業を、本実施形態では位置情報初期登録作業と呼び、この位置情報初期登録作業の負荷を軽減することで、画像形成装置１１１への顔認証による自動ログインが可能になる。
【００４０】
Ｃ４２３に値が入っている場合は対応する画像形成装置１１１の位置情報初期登録作業が完了していることを表し、値が入っていない（ｎｕｌｌである）場合は、位置情報初期登録作業が完了していないことを表す。位置情報初期登録をする画面の説明は後述する。Ｃ４２４、Ｃ４２５は、それぞれ撮像内のＸ座標の始点、終点を格納するためのカラムである。同様にＣ４２６、Ｃ４２７は撮像内のＹ座標の始点、終点を格納するためのカラムである。
【００４１】
【表４】
2017062680.tif 000006
表４は、顔認識サーバ１３０のユーザの特徴量を管理するためのデータベース３４１内の特徴量管理テーブルＴ４３０である。Ｃ４３１は、ユーザＩＤを格納するためのカラムである。Ｃ４３２は、ユーザの顔情報を特徴量化したバイナリデータを格納するためのカラムである。
【００４２】
【表５】
2017062680.tif 000007
表５は、認証サーバ１２０がユーザを管理するためのデータベース３５１内のユーザ管理テーブルＴ４４０である。
Ｃ４４１は、ユーザIDを格納するためのカラムである。Ｃ４４２は、ユーザがログインするためのパスワードを格納するためのカラムである。Ｃ４４３は、ユーザの最終ログイン日時を格納するためのカラムである。
【００４３】
【表６】
2017062680.tif 000008
表６は、位置情報管理サーバ１２２の物体認識アプリケーション３６５が画像形成装置１１１の物体認識に利用する、データベース３６１内の特徴量管理テーブルＴ４５０である。
Ｃ４５１は、特徴量データを一意に特定するデバイス特徴量ＩＤを格納するテーブルである。Ｃ４５２は画像形成装置１１１の情報を特徴量化したバイナリデータを格納するためのカラムである。
【００４４】
続いて、図４、図５を用いて位置情報初期登録画面、及び位置情報初期登録画面を利用した位置情報初期登録フローについて説明する。
図４は、本実施形態を示す情報処理装置で表示されるＵＩ画面の一例を示す図である。本ＵＩは位置情報初期登録画面４０１に対応する。
図５は、図４に示した位置情報初期登録画面４０１を生成する処理を説明する図である。
【００４５】
図５において、ネットワークカメラ１３１は、Ｓ５０１にて、撮像部３２１で撮像された画像データを、データ送信部３２３を介して断続的に顔認識サーバ１３０に対して送信している。管理者は、位置情報初期登録作業を行うために、クライアントコンピュータ１１３内にインストールされているブラウザ３０１から位置情報管理サーバ１２２のＷｅｂＵＩ３６３に対して位置情報初期登録画面取得要求を行う（Ｓ５０２）。
【００４６】
Ｓ５０２で、位置情報初期登録画面の取得要求を受けた位置情報管理サーバ１２２は、顔認識サーバ１３０に対して、カメラデータ取得要求（カメラ画像要求）を行う（Ｓ５０３）。顔認識サーバ１３０は、Ｓ５０１で、データベース３４１に格納されているカメラ画像Ｃ４１８及びカメラ名Ｃ４１６をネットワークカメラ１３１の台数分応答する（Ｓ５０４）。
【００４７】
次に、位置情報管理サーバ１２２は、物体認識アプリケーション３６５に対して、Ｓ５０４の応答に含まれるカメラ画像Ｃ４１８とともに物体認識要求を送信することで物体認識の結果を顔認識サーバ１３０から取得する（Ｓ５０５）。更に、位置情報管理サーバ１２２は、Ｓ５０５で取得した物体認識の結果をデバイスシリアルＩＤ（Ｃ４２３）がｎｕｌｌの状態で撮像内デバイス管理テーブルＴ４２０に登録する（Ｓ５０６）。
【００４８】
続いて、位置情報管理サーバ１２２は、Ｓ５０４の応答を利用して、図４に示すカメラ一覧４０２及びカメラビューワ４０３を生成する（Ｓ５０７）。カメラビューワ４０３はＳ５０４の応答に含まれるカメラ画像Ｃ４１８にＳ５０５の物体認識結果を含めて表示する画面である。本実施形態ではＳ５０５の物体認識結果をカメラビューワ４０３内で点線枠４１０で表示している。
【００４９】
本実施形態では、カメラビューワ４０３にはカメラ１台分の画像しか表示していないが、複数台分の画像を表示してもよい。
【００５０】
カメラ一覧４０２は、Ｓ５０４の応答に含まれるカメラ名４１６を一覧表示する。カメラ一覧４０２に表示されているカメラ名４１６を選択すると、カメラビューワ４０３の画像が選択したカメラが撮影する画像に切り替わる。
【００５１】
続いて、位置情報管理サーバ１２２は、Ｓ５０８にて撮像内デバイス管理テーブルＴ４２０に登録されている画像形成装置１１１の一覧を取得し、検出デバイス一覧（デバイス情報一覧）４０４を生成する。
【００５２】
続いて、位置情報管理サーバ１２２は、デバイス管理サーバ１２１に対してデバイス管理サーバ１２１で管理している画像形成装置１１１の一覧の取得要求を行う（Ｓ５０９）。Ｓ５０９の要求を受けたデバイス管理サーバ１２１は、デバイス管理テーブルＴ４００から、デバイス管理サーバ１２１の管理下にある画像形成装置１１１のデバイス一覧を取得し、位置情報管理サーバ１２２に対して応答する（Ｓ５１０）。位置情報管理サーバ１２２は、Ｓ５１１にて、Ｓ５１０の応答を元に管理デバイス一覧４０５を生成する。
【００５３】
最後に、位置情報管理サーバ１２２は、Ｓ５０７、Ｓ５０８、Ｓ５１１で生成した画面をまとめて位置情報初期登録画面４０１を生成し、クライアントコンピュータ１１３に応答する（Ｓ５１２）。
【００５４】
続いて、管理者は、位置情報初期登録画面４０１を利用して、ネットワークカメラ１３１内に映った画像形成装置１１１の位置情報と、デバイス管理サーバ１２１で管理される各画像形成装置１１１のＩＰアドレスとの紐付け作業を行う（Ｓ５１３）。
【００５５】
すなわち、カメラビューワ４０３の映像を確認しながら、検出デバイス一覧４０４内のデバイスシリアルＩＤに、管理デバイス一覧４０５の対応するデバイスシリアルＩＤを入力する作業を行う。管理者が行う紐付け作業は、本実施形態ではデバイスシリアルＩＤを直接手入力することを想定している。これは、管理デバイス一覧４０５の各行を、検出デバイス一覧４０４の対応する行やカメラビューワ４０３の対応する画像形成装置１１１に対してドラッグ＆ドロップするなど、紐付けが出来るのであればいかなる方法でもよい。
【００５６】
管理者は、Ｓ５１３でそれぞれのデバイスの位置情報と、それぞれのデバイスの識別情報とを対応づける紐付け作業が完了した後、図４に示すＵＩ画面に表示される確定ボタン４０６を押下すると、クライアントコンピュータ１１３から位置情報管理サーバ１２２に対して、Ｓ５１３にて行った紐付け作業の更新内容反映要求が送信される（Ｓ５１４）。位置情報管理サーバ１２２は、Ｓ５１４の更新内容反映要求に従い、撮像内デバイス管理テーブルＴ４２０のデバイスシリアルＩＤ（Ｃ４２３）を更新し、更新結果をクライアントコンピュータ１１３に応答する（Ｓ５１６）。なお、当該紐付け作業の更新内容反映要求が最初に実行される場合、図４に示すＵＩ画面においてユーザの指示により受付けた対応づけられた初期登録情報が位置情報管理サーバ１２２に応答される。
【００５７】
〔画像形成装置の自動ログイン処理〕
図６は、図１に示した画像形成装置１１１の自動ログイン処理を説明する図である。
【００５８】
以下、図６を用いて画像形成装置１１１、認証サーバ１２０、顔認識サーバ１３０、ネットワークカメラ１３１、位置情報管理サーバ１２２の連携による、画像形成装置１１１の自動ログインフローについて説明する。
【００５９】
Ｓ６０１で、画像形成装置１１１は、顔認識サーバ１３０にユーザ接近に対する問い合わせを行う。このとき、問い合わせには自身のＩＰアドレスを付与する。ユーザが画像形成装置１１１に接近していない場合は、この問い合わせを一定周期で繰り返す。
【００６０】
Ｓ６０２で、ネットワークカメラ１３１は撮像した画像を顔認識サーバ１３０に送信する。ネットワークカメラ１３１は、断続的に顔認識サーバ１３０に撮像した画像を送信し、顔認識サーバ１３０は受信した画像を解析する。
【００６１】
Ｓ６０３で、顔認識サーバ１３０はネットワークカメラ１３１から送信された画像内でユーザを検出する。このとき、特徴量管理テーブルＴ４３０を参照して得られるユーザの特徴量と、撮像内の顔画像の特徴量を比較し、一定閾値以上の特徴量の一致が見られた場合に、ユーザを特定する。
【００６２】
続いて、顔認識サーバ１３０は、ユーザが接近した画像形成装置１１１のＩＰアドレスの取得要求を行う（Ｓ６０４）。このとき、Ｓ６０４の取得要求にはＳ６０３で検出したユーザのＸ座標、Ｙ座標の情報を付与する。位置情報管理サーバ１２２は、Ｓ６０５にて、ＩＰアドレス取得要求を受けた画像形成装置１１１を特定する。画像形成装置１１１の特定は、Ｓ６０４の取得要求に含まれるユーザのＸ座標、Ｙ座標と、撮像内デバイス管理テーブルＴ４２０で管理された画像形成装置のＸ座標、Ｙ座標（Ｃ４２４〜Ｃ４２６）から画像形成装置１１１のデバイスシリアルＩＤ（Ｃ４２３）を特定することである。
【００６３】
位置情報管理サーバ１２２は、デバイス管理サーバ１２１に対して、Ｓ６０５で特定した画像形成装置１１１のデバイスシリアルＩＤ（Ｃ４２３）と共に、ＩＰアドレス取得要求を行う（Ｓ６０６）。デバイス管理サーバ１２１は、デバイス管理テーブルＴ４００を参照して、Ｓ６０６のＩＰアドレス取得要求に含まれるデバイスシリアルＩＤ（Ｃ４２３）に対応するデバイスを特定し、対応するＩＰアドレスＣ４０２を位置情報管理サーバ１２２に応答する（Ｓ６０７）。さらに、位置情報管理サーバ１２２は、接近対象のＩＰアドレスを顔認識サーバ１３０に応答する（Ｓ６０８）
【００６４】
Ｓ６０１の問合せと、Ｓ６０７の応答とのそれぞれに含まれるＩＰアドレスが一致している場合は、顔認識サーバ１３０はユーザが接近した画像形成装置１１１に自動ログイン応答を行う（Ｓ６１１）。自動ログイン応答には、ログイン対象のユーザＩＤが含まれる。次に、画像形成装置１１１は認証サーバ１２０にログイン要求を送信する（Ｓ６１２）。ログイン要求には、ユーザＩＤが含まれる。
【００６５】
Ｓ６１３で、認証サーバ１２０は画像形成装置１１１にログイン応答を送信する。このとき、ログイン要求にはユーザＩＤが含まれており、既に顔認証によりユーザが特定できているため、常にログイン可として応答を送信する。
なお、本実施形態においては、認証サーバ１２０へのログイン要求を行うが、画像形成装置１１１がＳ６１１で自動ログイン応答を受信した時点でユーザに対して画像形成装置１１１の利用を許可してもよい。Ｓ６１４で、ユーザは画像形成装置１１１の所望の機能を利用する。
本実施形態によって、ネットワークカメラ１３１の映像を確認しながら、簡単に位置情報初期登録作業を行うことができるので、管理者の作業負荷を軽減することができる。
【００６６】
〔第２実施形態〕
第１実施形態において、位置情報初期登録画面４０１を利用して、カメラビューワ４０３に映るネットワークカメラ１３１の映像を確認しながら、位置情報初期登録作業を容易に行うことができるようになった。しかしながら、設置されている画像形成装置１１１の台数が多数ある場合は、検出デバイス一覧４０４に表示される画像形成装置１１１が、管理デバイス一覧４０５に表示されるどの画像形成装置１１１に対応するのか分かりにくい場合やそもそも判断できない場合が考えられる。
【００６７】
本実施形態では、画像形成装置１１１の対応付けのための手がかりとなる情報を位置情報初期登録画面４０１に表示する方法について説明する。なお、第２実施形態では第１実施形態と異なる部分のみ、説明する。
【００６８】
図７は、本実施形態を示す情報処理装置で表示されるＵＩ画面の一例を示す図である。本画面は、位置情報初期登録画面７０１に対応する。
第１実施形態において、Ｓ５０７にてカメラビューワ７０３を生成する際に、撮像内デバイス管理テーブルＴ４２０の位置情報ID（Ｃ４２１）が付加される状態で、物体認識結果７１０と同時に表示する（７１１）。これによって管理者は、ネットワークカメラ１３１に映っている画像形成装置１１１が検出デバイス一覧７０４上のどの画像形成装置１１１に対応するのかを容易に判断することができる。
【００６９】
また、管理デバイス一覧７０５に各画像形成装置１１１の設置場所・設置部署・設置時期など、デバイス管理テーブルＴ４００で管理されている各画像形成装置１１１のメタデータの中から、各画像形成装置１１１を特定する手がかりとなる情報も表示する。これによって管理者は、ネットワークカメラ１３１に映っている画像形成装置１１１が管理デバイス一覧７０５のどの画像形成装置１１１に対応するのかを容易に判断することができる。
【００７０】
このように本実施形態によって、管理者はネットワークカメラ１３１に映っている画像形成装置１１１が検出テバイス一覧７０４内、管理デバイス一覧７０５内のそれぞれどの画像形成装置１１１に対応するかを容易に判断することができる。従って、検出デバイス一覧７０４内の画像形成装置１１１と管理デバイス一覧７０５内の画像形成装置１１１との対応付けも容易に行うことができるようになる。
【００７１】
〔第３実施形態〕
第２実施形態において、デバイス管理テーブルＴ４００で管理されているメタデータを利用して管理デバイス一覧７０５に表示した手がかり情報が全く同一のデバイスが複数存在した場合に位置情報初期登録作業を行うことが難しい。同様に、例えばサービスマンなど、位置情報初期登録の作業者が、設置してある画像形成装置１１１や設置場所について知識がない場合は、第２実施形態の手がかり情報を参考に位置情報初期登録作業を行うことが難しい。
【００７２】
本実施例では、リモート操作によってカメラビューワ画面８０３越しに視認可能な変化を画像形成装置１１１に発生させることで、いかなる場合でも位置情報初期登録作業を可能にすることを目的とする。なお、第３実施形態では、第２実施形態と異なる部分のみ、説明する。
【００７３】
図８は、本実施形態を示す情報処理装置に表示されるＵＩ画面の一例を示す図である。本ＵＩ画面は、位置情報初期登録画面８０１に対応する。
本実施形態では、第２実施形態の管理デバイス一覧７０５にランプ点灯ボタン８２０を追加する。ランプ点灯指示であるランプ点灯ボタン８２０を押下すると、対応する画像形成装置１１１のタリーランプ（警告ランプ）が点灯する。ここでタリーランプとは、ジョブ実行中やエラー状態等のステータスを示すために画像形成装置１１１が備えるランプのことである。
以下、ランプ点灯ボタン８２０を押下してから実際にタリーランプが点灯するまでの流れを説明する。
【００７４】
管理者がランプ点灯ボタン８２０を押下すると、クライアントコンピュータ１１３上のブラウザ３０１からデバイス管理サーバ１２１に対して、対応する画像形成装置１１１のデバイスシリアルＩＤと共に、タリーランプ点灯要求が送信される。
【００７５】
デバイス管理サーバ１２１は、タリーランプ点灯要求を受けつけると、要求に含まれるデバイスシリアルＩＤを利用してデバイス管理テーブルＴ４００を参照して対応する画像形成装置１１１のＩＰアドレス（Ｃ４１２）を特定する。
【００７６】
次に、デバイス管理サーバ１２１は、特定したＩＰアドレス（Ｃ４１２）に対応する画像形成装置１１１上にインストールされているデバイス管理アプリケーション３１１に対してタリーランプ点灯要求を送信する。タリーランプ点灯要求を受け付けたデバイス管理アプリケーション３１１は特定のパターンでタリーランプを点灯させる。ここで特定のパターンでタリーランプを点灯させている理由は、ジョブ実行中やエラー状態等でタリーランプが点灯した場合と区別しやすいようにするためである。
【００７７】
また、クライアントコンピュータ１１３上で動作するブラウザ３０１は、Ａｊａｘなどの非同期通信フレームワークを利用して位置情報管理サーバ１２２と通信し、カメラビューワ画面８０３を更新する。
【００７８】
管理者は、ランプ点灯ボタンを押下した後、カメラビューワ画面８０３を確認することでタリーランプが点灯した画像形成装置（１１１）を特定することができる。従って、ネットワークカメラ１３１に映っている画像形成装置１１１が管理デバイス一覧８０５のどの画像形成装置１１１に対応するかを判断することができる。
【００７９】
このように、位置情報初期登録画面８０１からデバイス管理サーバ１２１を介して、カメラビューワ画面８０３越しに視認可能な変化を画像形成装置１１１に発生させることで、いかなる場合でも位置情報初期登録作業を容易に行うことができる。
【００８０】
また本実施形態では、画像形成装置１１１に対してタリーランプを点灯させたが、特定のパターンの紙を出力する、コントロールパネルに特定のパターンを表示するなど、カメラビューワ画面８０３越しに視認可能な変化であればどのようなものでもよい。
【００８１】
〔第４実施形態〕
第３実施形態において、ネットワークカメラ１３１が多数存在した場合に、管理者はタリーランプの点灯した画像形成装置１１１を特定するために、カメラビューワ画面８０３で表示する映像を何度も切り替えて探す必要がある。この作業を管理デバイス一覧に表示されている画像形成装置１１１の台数分行うことは、非常に時間がかかり、管理者の負担となる。
【００８２】
従って、本実施形態では、第３実施形態におけるランプ点灯ボタン８２０を押下したことによるタリーランプの点灯を自動的に検出し、カメラビューワ画面８０３で表示するカメラを自動的に切り替えることを目的とする。なお、第４実施形態では、第３実施形態と異なる部分のみ、説明する。
【表７】
2017062680.tif 000009
表７は、位置情報管理サーバ１２２の物体認識アプリケーション３６５がタリーランプ点灯検知に利用する、データベース３６１内の特徴量管理テーブルＴ４６０である。
【００８３】
Ｃ４６１は、特徴量データを一意に特定するランプ特徴量IDを格納するカラムである。Ｃ４６２はタリーランプが特定のパターンで点灯した際の情報を特徴量化したバイナリデータを格納するためのカラムである。
【００８４】
〔カメラビューワ画面の更新処〕
次に、第４実施形態におけるカメラビューワ画面の更新フローについて、図９を利用して説明する。
図９は、カメラビューワ画面の更新処理を説明する図である。
図９において、Ｓ９０１で、ネットワークカメラ１３１は撮像を顔認識サーバ１３０に対して断続的に送信する。実施例３までは、ネットワークカメラ管理テーブルＴ４１０において画像（Ｃ４１８）最新データのみ保持していたが、本実施形態では画像（Ｃ４１８）を履歴として持つ。テーブルの詳細は、第３実施形態までほぼ同様のため省略する。
【００８５】
管理者が、ランプ点灯ボタンを押下すると同時にクライアントコンピュータ１１３から位置情報管理サーバ１２２に対して、カメラビューワ画面更新要求Ｓ９０２が送信される。カメラビューワ画面更新要求は、クライアントコンピュータ１１３上で動作するブラウザ３０１から、Ａｊａｘなどのフレームワークを利用して非同期で定期的に位置情報管理サーバ１２２に送信される。
【００８６】
カメラビューワ画面更新要求Ｓ９０２を受けた位置情報管理サーバ１２２は、顔認識サーバ１３０に対してカメラ画像要求を送信する（Ｓ９０３）。それに対して顔認識サーバ１３０は、ネットワークカメラ管理テーブルＴ４１０を参照して画像（Ｃ４１８）を応答する（Ｓ９０４）。位置情報管理サーバ１２２は、Ｓ９０４の応答に含まれる画像（Ｃ４１８）を物体認識アプリケーション３６５に送信し、物体認識の特徴量管理テーブルＴ４６０を参照してタリーランプ点灯検知処理Ｓ９０５を行う。第４実施形態における画像（Ｃ４１８）は履歴データなので、特定のパターンで点灯したタリーランプを検出することができる。
【００８７】
次に位置情報管理サーバ１２２は、Ｓ９０５でタリーランプ点灯を検出したカメラが表示されるように、Ｓ９０６でカメラビューワ画面８０３を生成し（Ｓ９０６）、クライアントコンピュータ１１３に応答する（Ｓ９０７）。クライアントコンピュータ１１３は、Ｓ９０８で、Ｓ９０７の応答に含まれる画面でカメラビューワ画面８０３を更新する。
【００８８】
本実施形態により、ランプ点灯ボタン８２０を押下したことによるタリーランプの点灯を自動的に検出し、カメラビューワ画面８０３で表示するカメラを自動的に切り替えることができる。これにより、管理者はタリーランプが点灯したデバイスが表示されているネットワークカメラ１３１を、カメラビューワ画面８０３を切り替えて探す必要がなくなる。
【００８９】
本実施形態では、管理者の手作業によって、位置情報初期登録を行う。しかし、デバイス管理サーバ１２１がデバイス管理テーブルＴ４００で管理されている画像形成装置１１１のタリーランプを順次自動的に点灯させることで、位置情報初期登録作業を自動的に行ってもよい。位置情報登録作業を自動的に行う手順を以下で説明する。
【００９０】
位置情報初期登録画面８０１にて管理者がランプ点灯ボタン８２０押下したら、デバイス管理サーバ１２１はデバイス管理テーブルＴ４００のタリーランプ点灯を指示した画像形成装置１１１にフラグを立てる。
【００９１】
一方、Ｓ９０５と同様の方法で位置情報管理サーバ１２２が、タリーランプの点灯を検知すると、位置情報管理サーバ１２２は撮像内デバイス管理テーブルＴ４２０内から点灯したタリーランプを含む座標に位置する画像形成装置１１１を特定する。次に位置情報管理サーバ１２２はデバイス管理サーバ１２１に対して問い合わせを行い、デバイス管理テーブルＴ４００からフラグの立った画像形成装置１１１のデバイスシリアルＩＤを取得し、撮像内デバイス管理テーブルＴ４２０のデバイスシリアルＩＤ（Ｃ４２３）に設定する。
これをデバイス管理サーバ１２１に登録されている画像形成装置１１１全てに対して行うことで自動的に登録することができる。
【００９２】
〔第５実施形態〕
第３実施形態において、ネットワークカメラ１３１が多数存在した場合に、管理者はタリーランプの点灯した画像形成装置１１１を特定する場合について説明した。しかしながら、初期登録画面を変化させ処理に代え、初期登録画面に表示されるデバイス一覧に、当該デバイスを特定するヒント情報を合わせて表示することで、デバイスを特定できるように構成してもよい。この場合において、ヒント情報とは、デバイスの設置場所の名称、設置部署名の名称、設置時期等とすることが管理者にとってより望ましい。なお、これ以外の情報を加えることは任意である。
本発明は、上述の実施形態の１以上の機能を実現するプログラムを、ネットワーク又は記憶媒体を介してシステムまたは装置に供給し、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００９３】
１１１  画像形成装置
【図１】
2017062680.tif 000010
【図２】
2017062680.tif 000011
【図３】
2017062680.tif 000012
【図４】
2017062680.tif 000013
【図５】
2017062680.tif 000014
【図６】
2017062680.tif 000015
【図７】
2017062680.tif 000016
【図８】
2017062680.tif 000017
【図９】
2017062680.tif 000018